(57)【特許請求の範囲】
【請求項１】
生体内において生体情報を取得する生体情報取得部と、
前記生体情報を無線により前記生体外へ伝送する無線伝送部と、
前記生体情報取得部及び前記無線伝送部の駆動電力を供給する電源部と、
外部からの交流磁界に応じて両端に電位差を生じるコイルを含み、周波数が漸次変化する前記外部からの交流磁界を制御信号として検知し、検知した際にその検知結果を電気信号として出力する磁界検知部と、
前記電気信号に基づき、前記電源部から前記生体情報取得部及び前記無線伝送部へ供給される駆動電力の供給開始及び供給停止を切り替えるスイッチ部としての機能を果たす電力供給制御部と、
を有することを特徴とする生体情報取得装置。
【請求項２】
前記電気信号は、前記スイッチ部を、外部からの前記交流磁界が断続的に発せられる度に当該生体情報取得装置の電源状態をオフ状態からオン状態にまたはオン状態からオフ状態に切り替えるよう制御するための信号であることを特徴とする請求項１に記載の生体情報取得装置。
【請求項３】
前記磁界検知部を複数有することを特徴とする請求項１または請求項２に記載の生体情報取得装置。
【請求項４】
前記生体情報取得装置は、カプセル型内視鏡であることを特徴とする請求項１乃至請求項３のいずれか一に記載の生体情報取得装置。
【請求項５】
生体内において生体情報を取得する生体情報取得部と、前記生体情報を無線により前記生体外へ伝送する無線伝送部と、前記生体情報取得部及び前記無線伝送部の駆動電力を供給する電源部と、外部からの交流磁界に応じて両端に電位差を生じるコイルを含み、周波数が漸次変化する前記外部からの交流磁界を制御信号として検知し、検知した際にその検知結果を電気信号として出力する磁界検知部と、前記電気信号に基づき、前記電源部から前記生体情報取得部及び前記無線伝送部へ供給される駆動電力の供給開始及び供給停止を切り替えるスイッチ部としての機能を果たす電力供給制御部と、を具備する生体情報取得装置と、
前記生体情報取得装置の外部において周波数が漸次変化する交流磁界を断続的に発生する磁界発生部と、
を有することを特徴とする生体観察システム。
【請求項６】
前記電気信号は、前記スイッチ部を、外部からの前記交流磁界が断続的に発せられる度に前記生体情報取得装置の電源状態をオフ状態からオン状態にまたはオン状態からオフ状態に切り替えるよう制御するための信号であることを特徴とする請求項５に記載の生体観察システム。
【請求項７】
前記磁界発生部を複数有することを特徴とする請求項５または請求項６に記載の生体観察システム。
【請求項８】
前記生体情報取得装置は、カプセル型内視鏡であることを特徴とする請求項５乃至請求項７のいずれか一に記載の生体観察システム。
【請求項９】
生体内において生体情報を取得する生体情報取得部と、前記生体情報を無線により前記生体外へ伝送する無線伝送部と、前記生体情報取得部及び前記無線伝送部の駆動電力を供給する電源部と、外部からの交流磁界に応じて両端に電位差を生じるコイルを含み、周波数が漸次変化する前記外部からの交流磁界を制御信号として検知し、検知した際にその検知結果を電気信号として出力する磁界検知部と、前記電気信号に基づき、前記電源部から前記生体情報取得部及び前記無線伝送部へ供給される駆動電力の供給状態を制御する電力供給制御部と、を具備する生体情報取得装置と、前記生体情報取得装置の外部において周波数が漸次変化する交流磁界を断続的に発生する磁界発生部と、を有する生体観察システムを駆動するための方法において、
前記磁界発生部が、周波数が漸次変化する前記交流磁界を断続的に発生する磁界発生ステップと、
前記磁界発生部から発せられる前記周波数が漸次変化する交流磁界に応じ、前記電力供給制御部が前記生体情報取得装置の電源状態をオフ状態からオン状態にまたはオン状態からオフ状態に切り替える電源状態切替ステップと、
を有することを特徴とする生体観察システムの駆動方法。
【請求項１０】
生体内において生体情報を取得する生体情報取得部と、前記生体情報を無線により前記生体外へ伝送する無線伝送部と、前記生体情報取得部及び前記無線伝送部の駆動電力を供給する電源部と、外部からの交流磁界に応じて両端に電位差を生じるコイルを含み、周波数が漸次変化する前記外部からの交流磁界を制御信号として検知し、検知した際にその検知結果を電気信号として出力する磁界検知部と、前記電気信号に基づき、前記電源部から前記生体情報取得部及び前記無線伝送部へ供給される駆動電力の供給状態を制御する電力供給制御部と、を具備する生体情報取得装置と、前記生体情報取得装置の外部において周波数が漸次変化する交流磁界を断続的に発生する磁界発生部と、を有する生体観察システムを駆動するための方法において、
前記磁界発生部が、周波数が漸次変化する前記交流磁界を断続的に発生する磁界発生ステップと、
前記磁界発生部から周波数が漸次変化する前記交流磁界が断続的に発せられる度に、前記電力供給制御部が前記生体情報取得装置の電源状態をオフ状態からオン状態にまたはオン状態からオフ状態に切り替える電源状態切替ステップと、
を有することを特徴とする生体観察システムの駆動方法。
【請求項１１】
前記生体情報取得装置が前記生体外に配置されている際に、前記磁界発生ステップ及び前記電源状態切替ステップが実施されることを特徴とする請求項９または請求項１０に記載の生体観察システムの駆動方法。
【請求項１２】
前記生体情報取得装置は、カプセル型内視鏡であることを特徴とする請求項９乃至請求項１１のいずれか一に記載の生体観察システムの駆動方法。
【発明の詳細な説明】
【技術分野】
【０００１】
本発明は、生体情報取得装置、生体観察システム及び生体観察システムの駆動方法に関し、特に、電池等からなる電源部を具備した生体情報取得装置、生体観察システム及び生体観察システムの駆動方法に関するものである。
【背景技術】
【０００２】
内視鏡は、医療分野等において従来広く用いられている。特に、医療分野における内視鏡は、生体内の観察等の用途において主に用いられている。そして、前述した内視鏡の種類の１つとして、被検者が嚥下することにより体腔内に配置され、蠕動運動に伴って該体腔内を移動しつつ被写体の像を撮像し、撮像した該被写体の像を撮像信号として外部に無線伝送可能なカプセル型内視鏡が近年提案されている。
【０００３】
前述したカプセル型内視鏡と略同様の機能を有する装置としては、例えば、特許文献１に提案されているものがある。
【０００４】
特許文献１には、磁界中に置かれた状態において接点が開くリードスイッチを非接触型の電源スイッチとして用いたカプセル内視鏡の構成が記載されている。そして、特許文献１に記載のカプセル内視鏡は、前記リードスイッチを具備することにより、例えば、磁石を備えた梱包箱または収納ケースに収納されている場合には、前記リードスイッチの接点が開くことにより電源がオフし、かつ、該梱包箱または該収納ケースから取り出された場合に、前記リードスイッチの接点が閉じることにより電源がオンするように構成されている。
【特許文献１】特開２００１−２２４５５３号公報
【発明の開示】
【発明が解決しようとする課題】
【０００５】
しかし、特許文献１のカプセル内視鏡は、磁石を備えた梱包箱または収納ケースから取り出すとともに電源がオンされる構成であるため、カプセル内視鏡を生体内に配置する事前の段階において内蔵バッテリの消耗が始まってしまう。その結果、特許文献１のカプセル内視鏡は、生体内の所望の部位に到達する以前に、内蔵バッテリの残量が該所望の部位の撮像が不可能な程度に低下してしまうことにより、該所望の部位の観察を行うことができない場合がある、という課題を有している。
【０００６】
また、一旦電源がオンされた後において特許文献１のカプセル内視鏡の電源を再度オフするには、リードスイッチの向きに合った所定の強さ以上の磁界を、永久磁石等を用いつつ該カプセル内視鏡に対して印加する必要がある。すなわち、特許文献１のカプセル内視鏡は、一旦電源がオンされた後、再度電源をオフする場合に煩雑な操作が必要となってしまう、という課題を有している。
【０００７】
本発明は、前述した事情に鑑みてなされたものであり、電源のオンオフの切り替えを容易に行うことが可能であるため、内蔵バッテリの消耗を従来に比べて抑制可能な生体情報取得装置、生体観察システム及び生体観察システムの駆動方法を提供することを目的としている。
【課題を解決するための手段】
【０００８】
本発明の一態様の生体情報取得装置は、生体内において生体情報を取得する生体情報取得部と、前記生体情報を無線により前記生体外へ伝送する無線伝送部と、前記生体情報取得部及び前記無線伝送部の駆動電力を供給する電源部と、外部からの交流磁界に応じて両端に電位差を生じるコイルを含み、周波数が漸次変化する前記外部からの交流磁界を制御信号として検知し、検知した際にその検知結果を電気信号として出力する磁界検知部と、前記電気信号に基づき、前記電源部から前記生体情報取得部及び前記無線伝送部へ供給される駆動電力の供給開始及び供給停止を切り替えるスイッチ部としての機能を果たす電力供給制御部と、を有する。
【０００９】
本発明の一態様の生体観察システムは、生体内において生体情報を取得する生体情報取得部と、前記生体情報を無線により前記生体外へ伝送する無線伝送部と、前記生体情報取得部及び前記無線伝送部の駆動電力を供給する電源部と、外部からの交流磁界に応じて両端に電位差を生じるコイルを含み、周波数が漸次変化する前記外部からの交流磁界を制御信号として検知し、検知した際にその検知結果を電気信号として出力する磁界検知部と、前記電気信号に基づき、前記電源部から前記生体情報取得部及び前記無線伝送部へ供給される駆動電力の供給開始及び供給停止を切り替えるスイッチ部としての機能を果たす電力供給制御部と、を具備する生体情報取得装置と、前記生体情報取得装置の外部において周波数が漸次変化する交流磁界を断続的に発生する磁界発生部と、を有する。
【００１０】
本発明の一態様の生体観察システムの駆動方法は、生体内において生体情報を取得する生体情報取得部と、前記生体情報を無線により前記生体外へ伝送する無線伝送部と、前記生体情報取得部及び前記無線伝送部の駆動電力を供給する電源部と、外部からの交流磁界に応じて両端に電位差を生じるコイルを含み、周波数が漸次変化する前記外部からの交流磁界を制御信号として検知し、検知した際にその検知結果を電気信号として出力する磁界検知部と、前記電気信号に基づき、前記電源部から前記生体情報取得部及び前記無線伝送部へ供給される駆動電力の供給状態を制御する電力供給制御部と、を具備する生体情報取得装置と、前記生体情報取得装置の外部において周波数が漸次変化する交流磁界を断続的に発生する磁界発生部と、を有する生体観察システムを駆動するための方法において、前記磁界発生部が、周波数が漸次変化する前記交流磁界を断続的に発生する磁界発生ステップと、前記磁界発生部から発せられる前記周波数が漸次変化する交流磁界に応じ、前記電力供給制御部が前記生体情報取得装置の電源状態をオフ状態からオン状態にまたはオン状態からオフ状態に切り替える電源状態切替ステップと、を有する。
【００１１】
本発明の他の態様の生体観察システムの駆動方法は、生体内において生体情報を取得する生体情報取得部と、前記生体情報を無線により前記生体外へ伝送する無線伝送部と、前記生体情報取得部及び前記無線伝送部の駆動電力を供給する電源部と、外部からの交流磁界に応じて両端に電位差を生じるコイルを含み、周波数が漸次変化する前記外部からの交流磁界を制御信号として検知し、検知した際にその検知結果を電気信号として出力する磁界検知部と、前記電気信号に基づき、前記電源部から前記生体情報取得部及び前記無線伝送部へ供給される駆動電力の供給状態を制御する電力供給制御部と、を具備する生体情報取得装置と、前記生体情報取得装置の外部において周波数が漸次変化する交流磁界を断続的に発生する磁界発生部と、を有する生体観察システムを駆動するための方法において、
前記磁界発生部が、周波数が漸次変化する前記交流磁界を断続的に発生する磁界発生ステップと、前記磁界発生部から周波数が漸次変化する前記交流磁界が断続的に発せられる度に、前記電力供給制御部が前記生体情報取得装置の電源状態をオフ状態からオン状態にまたはオン状態からオフ状態に切り替える電源状態切替ステップと、を有する。
【発明の効果】
【００１４】
本発明における生体情報取得装置、生体観察システム及び生体観察システムの駆動方法によると、電源のオンオフの切り替えを容易に行うことが可能であるため、内蔵バッテリの消耗を従来に比べて抑制可能である。
【発明を実施するための最良の形態】
【００１５】
以下、図面を参照して本発明の実施の形態を説明する。
【００１６】
（第１の実施形態）
図１から図３は、本発明の第１の実施形態に係るものである。図１は、第１の実施形態における生体観察システムの要部の構成を示す図である。図２は、第１の実施形態における、電力供給部及び磁界検知部の具体的な構成の一例を示す図である。図３は、第１の実施形態における、電力供給部及び磁界検知部の動作と、カプセル型内視鏡の電源状態との相関を示す図である。
【００１７】
生体観察システム１０１は、図１に示すように、生体内に配置可能な寸法及び形状等を有して構成されるカプセル型内視鏡１と、カプセル型内視鏡１の外部において交流磁界を発する磁界発生部７と、を具備している。
【００１８】
磁界発生部７は、例えば、ユーザの図示しないスイッチ等の操作に応じて、磁界の発生状態をオンまたはオフのいずれかに切り替えることが可能な構成を有している。
【００１９】
カプセル型内視鏡１は、図１に示すように、生体内の被写体を照明するための照明光を発する照明部２と、照明部２により照明された被写体を撮像し、撮像信号として出力する撮像部３と、撮像部３から出力される撮像信号を無線により生体外へ伝送する無線伝送部４と、照明部２、撮像部３及び無線伝送部４の各部の駆動に要する駆動電力を供給する電力供給部５と、磁界発生部７において発せられた交流磁界を検知可能な磁界検知部６と、を内部に有している。
【００２０】
すなわち、本実施形態における生体情報取得部は、照明部２及び撮像部３を有して構成されている。
【００２１】
電力供給部５は、図２に示すように、電池等からなる電源部８と、Ｐチャネル型ＦＥＴ９と、磁界検知部６からの出力信号を反転するインバータ１０と、を有して構成されている。
【００２２】
電力供給制御部及びスイッチ部としての機能を有するＰチャネル型ＦＥＴ９は、ソースが電源部８に接続され、ゲートがインバータ１０の出力端に接続されるとともに、ドレインが照明部２、撮像部３及び無線伝送部４に各々接続されている。
【００２３】
なお、電力供給部５は、Ｐチャネル型ＦＥＴ９を用いて構成されるものに限らず、同様なスイッチング機能を有する電子スイッチ等を用いて構成されるものであっても良い。
【００２４】
磁界検知部６は、磁界発生部７において発せられた交流磁界に応じた電気信号を出力する磁界検知用コイル１１と、磁界検知用コイル１１から出力される該電気信号を整流しつつ出力する整流部１８と、抵抗１４と、共振用コンデンサ１６と、を有して構成されている。
【００２５】
なお、磁界検知用コイル１１は、例えばソレノイド型コイルまたは平面コイル等からなるものであっても良く、カプセル型内視鏡１に配置可能な形状である限りにおいては、如何なる形状を有するものであっても良い。
【００２６】
整流部１８は、入力端が磁界検知用コイル１１の出力端に接続されたダイオード１２と、ダイオード１２から出力される電気信号を平滑化する平滑コンデンサ１３と、を有している。なお、本実施形態における整流部１８は、半波整流を行うものに限らず、全波整流を行うものであっても良い。
【００２７】
抵抗１４は、ダイオード１２の出力端において、平滑コンデンサ１３に対して並列に接続されている。
【００２８】
共振用コンデンサ１６は、ダイオード１２の入力端において、磁界検知用コイル１１に対して並列に接続されている。
【００２９】
ここで、本実施形態における電力供給部５及び磁界検知部６の動作について説明を行う。
【００３０】
まず、時刻ｔ１のタイミングにおいて磁界発生部７から交流磁界が発せられると、電磁誘導による電位差が磁界検知用コイル１１の両端に発生するとともに、該電位差に応じた交流の電気信号が整流部１８へ出力される。
【００３１】
そして、磁界検知用コイル１１から出力された交流の電気信号は、整流部１８において整流されることにより、直流の電気信号に変換されつつインバータ１０の入力端へ出力される。このとき、図３に示すように、インバータ１０の入力端側のノードＮ１における信号レベルがハイ（以降、Ｈと称する）レベルになることに伴い、インバータ１０の出力端側のノードＮ２における信号レベルがロー（以降、Ｌと称する）レベルになる。
【００３２】
ノードＮ２における信号レベルがＬレベルになると、Ｐチャネル型ＦＥＴ９がオン状態となるため、電源部８から照明部２、撮像部３及び無線伝送部４の各部への駆動電力の供給が開始され、カプセル型内視鏡１の電源がオンされる。
【００３３】
その後、時刻ｔ２のタイミングにおいて磁界発生部７における交流磁界の発生が停止されると、平滑用コンデンサ１３に蓄積されていた電荷が抵抗１４を介して放電されることに伴い、図３に示すように、ノードＮ１における信号レベルがＬレベルになるとともに、ノードＮ２における信号レベルがＨレベルになる。
【００３４】
ノードＮ２における信号レベルがＨレベルになると、Ｐチャネル型ＦＥＴ９がオフ状態となるため、電源部８から照明部２、撮像部３及び無線伝送部４の各部への駆動電力の供給が停止され、カプセル型内視鏡１の電源がオフされる。
【００３５】
そして、時刻ｔ３のタイミングにおいて磁界発生部７から再度交流磁界が発せられると、前述した動作によりカプセル型内視鏡１の電源がオンされ、以降同様の動作が繰り返される。
【００３６】
すなわち、本実施形態のカプセル型内視鏡１は、磁界発生部７から交流磁界が発せられている期間Ｔ１において電源がオンし、また、磁界発生部７から交流磁界が発せられていない期間Ｔ２において電源がオフする、という構成を有している。
【００３７】
ところで、磁界検知用コイル１１は、共振用コンデンサ１６とともに共振回路を構成している。そのため、本実施形態においては、前記共振回路における共振周波数を磁界発生部７から発生される交流磁界の周波数に合わせることにより、磁界発生部７から発せられる交流磁界に対する検知感度を向上させつつ、意図しない外乱磁場に対する検知感度を低下させることができ、その結果、カプセル型内視鏡１の電源のオンオフの切り替えを確実に行えるような、安定した制御が可能となる。
【００３８】
なお、本実施形態のカプセル型内視鏡１は、ノードＮ１の過度な電位上昇を抑制するための構成として、例えば、リミッタ回路をさらに有して構成されるものであっても良い。
【００３９】
次に、前述した動作を行うカプセル型内視鏡１を用いた観察等についての説明を行う。
【００４０】
まず、ユーザは、磁石を具備しない梱包箱または収納ケースに収納されたカプセル型内視鏡１を取り出す。
【００４１】
そして、ユーザは、磁界発生部７から発せられる交流磁界によりカプセル型内視鏡１の電源をオンし、カプセル型内視鏡１の動作確認を行った後、経口により被験者の体内にカプセル型内視鏡１を配置する。
【００４２】
なお、本実施形態においては、梱包箱または収納ケースから取り出した後にカプセル型内視鏡１の電源をオンするものに限らず、例えば、梱包箱または収納ケースに収納された状態のカプセル型内視鏡１に交流磁界を印加することにより、カプセル型内視鏡１の電源をオンするものであっても良い。
【００４３】
さらに、本実施形態においては、被験者の体内にカプセル型内視鏡１を配置した後、電源をオンし続けることができるとともに、磁界発生部７から発せられる交流磁界により電源のオンオフを適宜切り替えることもできる。具体的には、例えば、観察等が必要ない部位を通過している際には、磁界発生部７における交流磁界の発生を停止させることによりカプセル型内視鏡１の電源をオフし、所望の観察部位に到達した際に、磁界発生部７から交流磁界を発生させることによりカプセル型内視鏡１の電源をオンするような制御（または操作）が可能である。
【００４４】
以上に述べたように、本実施形態の生体観察システム１０１は、ユーザの所望のタイミングにおいて、カプセル型内視鏡１の電源のオンオフを容易に切り替えることが可能な構成を有している。これにより、本実施形態の生体観察システム１０１は、内蔵バッテリの消耗を従来に比べて抑制可能であるとともに、所望の部位の観察をより確実に行うことを可能としている。
【００４５】
（第２の実施形態）
図４及び図５は、本発明の第２の実施形態に係るものである。図４は、第２の実施形態における、電力供給部及び磁界検知部の具体的な構成の一例を示す図である。図５は、第２の実施形態における、電力供給部及び磁界検知部の動作と、カプセル型内視鏡の電源状態との相関を示す図である。
【００４６】
なお、以降の説明において、第１の実施形態と同様の構成を持つ部分については、詳細な説明を省略する。また、本実施形態においては、第１の実施形態と異なる部分について主に説明を行うものとする。
【００４７】
本実施形態の電力供給部５Ａは、図４に示すように、電源部８と、磁界検知部６からの出力信号を２分周する分周回路１５と、Ｐチャネル型ＦＥＴ９Ａと、を有して構成されている。
【００４８】
電力供給制御部及びスイッチ部としての機能を有するＰチャネル型ＦＥＴ９Ａは、ソースが電源部８に接続され、ゲートが分周回路１５の出力端に接続されるとともに、ドレインが照明部２、撮像部３及び無線伝送部４に各々接続されている。
【００４９】
ここで、本実施形態における電力供給部５Ａ及び磁界検知部６の動作について説明を行う。
【００５０】
まず、時刻ｔ１１のタイミングにおいて磁界発生部７から交流磁界が発せられると、電磁誘導による電位差が磁界検知用コイル１１の両端に発生するとともに、該電位差に応じた交流の電気信号が整流部１８へ出力される。
【００５１】
そして、磁界検知用コイル１１から出力された交流の電気信号は、整流部１８において整流されることにより、直流の電気信号に変換されつつ分周回路１５の入力端へ出力される。このとき、図５に示すように、分周回路１５の入力端側のノードＮ３における信号レベルがＨレベルになる。その後、時刻ｔ１２のタイミングにおいて磁界発生部７における交流磁界の発生が停止されると、平滑用コンデンサ１３に蓄積されていた電荷が抵抗１４を介して放電されることに伴い、図５に示すように、ノードＮ３における信号レベルがＬレベルになる。
【００５２】
すなわち、ノードＮ３における信号レベルは、磁界発生部７から交流磁界が発せられている期間Ｔ１１においてＨレベルとなり、また、磁界発生部７から交流磁界が発せられていない期間Ｔ１２においてＬレベルとなる。
【００５３】
一方、分周回路１５の出力端側のノードＮ４は、磁界検知部６からの出力信号に応じ、図５に示す時刻ｔ１１から時刻ｔ１３までの期間（期間Ｔ１３）においてＬレベルとなり、また、図５に示す時刻ｔ１３から（時刻ｔ１４を経た後の）時刻ｔ１５までの期間（期間Ｔ１４）においてＨレベルとなる。
【００５４】
そして、ノードＮ４における信号レベルがＬレベルになると、Ｐチャネル型ＦＥＴ９Ａがオン状態となるため、電源部８から照明部２、撮像部３及び無線伝送部４の各部への駆動電力の供給が開始され、時刻ｔ１１から時刻ｔ１３までの期間（換言すると期間Ｔ１３の間）カプセル型内視鏡１の電源がオンされる。また、ノードＮ４における信号レベルがＨレベルになると、Ｐチャネル型ＦＥＴ９Ａがオフ状態となるため、電源部８から照明部２、撮像部３及び無線伝送部４の各部への駆動電力の供給が停止され、時刻ｔ１３から時刻ｔ１５までの期間（換言すると期間Ｔ１４の間）カプセル型内視鏡１の電源がオフされる。
【００５５】
なお、電力供給部５Ａを有する本実施形態のカプセル型内視鏡１を用いた観察等についての説明は、第１の実施形態において述べた手順と同様の手順により実施可能であるため、本実施形態における説明は省略する。
【００５６】
以上に述べたように、電力供給部５Ａを有する本実施形態のカプセル型内視鏡１は、磁界発生部７から交流磁界が発生される毎に電源のオンオフが切り替わる、という構成を有している。これにより、電力供給部５Ａを有する本実施形態のカプセル型内視鏡１は、ごく短い時間の交流磁界の印加により電源のオンオフを切り替えることができる。その結果、電力供給部５Ａを有する本実施形態のカプセル型内視鏡１は、第１の実施形態において述べた効果に加え、ユーザ及び被験者への負担を軽減することができる、という効果をさらに発揮する。
【００５７】
なお、以上に述べた各実施形態において、生体観察システム１０１は、磁界発生部７を１つだけ具備して構成されるものに限らず、磁界発生部７を複数具備して構成されるものであっても良い。
【００５８】
具体的には、生体観察システム１０１は、例えば、交流磁界の発生方向が相互に直交するように配置された、３個の磁界発生部７を具備して構成されるものであっても良い。
【００５９】
そして、生体観察システム１０１は、前述したような３個の磁界発生部７を具備して構成されることにより、カプセル型内視鏡１において効率的に交流磁界の検知を行うことができる。
【００６０】
（第３の実施形態）
図６は、本発明の第３の実施形態に係るものである。図６は、第３の実施形態における、電力供給部及び磁界検知部の動作と、カプセル型内視鏡の電源状態との相関を示す図である。
【００６１】
なお、以降の説明において、第１の実施形態または第２の実施形態と同様の構成を持つ部分については、詳細な説明を省略する。また、本実施形態のカプセル型内視鏡は、第２の実施形態のカプセル内視鏡の構成と同様の構成を有するものである。そのため、以降においては、第１の実施形態及び第２の実施形態と異なる部分について主に説明を行うものとする。
【００６２】
図６に示すように、時刻ｔ２１から時刻ｔ２４までの期間（期間Ｔ２１）は、磁界発生部７から交流磁界が発せられている期間である。また、図６に示すように、時刻ｔ２４から時刻ｔ２５までの期間（期間Ｔ２２）は、磁界発生部７から交流磁界が発せられていない期間である。
【００６３】
本実施形態において、磁界発生部７は、図６に示すような交流磁界、すなわち、時刻ｔ２１から時刻ｔ２４までの期間（期間Ｔ２１）にかけて周波数が漸次増加する磁界を発生する。これにより、例えば、磁界検知用コイル１１及び共振用コンデンサ１６からなる共振回路の共振周波数をｆｒ、掃引される下限周波数をｆ１、及び、掃引される上限周波数をｆ２とした場合、共振周波数ｆｒにばらつきが生じたとしても、常にｆ１＜ｆｒ＜ｆ２となるように掃引される周波数の上限及び下限が決定される。
【００６４】
なお、本実施形態において、磁界発生部７は、所定の期間内において周波数が漸次増加する磁界を発生するものに限らず、該所定の期間内において周波数が漸次減少する磁界を発生するものであっても良い。
【００６５】
一方、期間Ｔ２１において周波数が漸次増加する磁界が磁界発生部７から発せられた場合、磁界検知用コイル１１及び共振用コンデンサ１６からなる共振回路の共振周波数ｆｒ近辺において、該共振回路に交流電圧が発生する。具体的には、図６の時刻ｔ２２から時刻ｔ２３までの期間において、前記共振回路に交流電圧が発生する。
【００６６】
すなわち、磁界発生部７から発せられた交流磁界の周波数が時間経過とともに増加し、前記共振回路の共振周波数ｆｒに近づくと、磁界検知用コイル１１の両端に電位差が発生する。その後、磁界発生部７から発せられた交流磁界の周波数が共振周波数ｆｒを超えてさらに増加し、共振周波数ｆｒとの差が大きくなると、磁界検知用コイル１１の両端に発生していた電位差がなくなる。
【００６７】
そして、磁界検知用コイル１１の両端に発生した電位差に基づく電気信号が整流部１８を経ることにより、図６に示すように、時刻ｔ２２から時刻ｔ２３までの期間において、ノードＮ３の信号レベルがＨレベルになる。また、図６に示すように、時刻ｔ２５から時刻ｔ２８までの期間にかけて周波数が漸次増加する磁界が発生された場合も同様に、時刻ｔ２６から時刻ｔ２７までの期間において、ノードＮ３の信号レベルがＨレベルになる。
【００６８】
すなわち、本実施形態の磁界検知部６は、周波数が漸次増加する交流磁界が磁界発生部７から１回分発せられる毎に、１つのパルスを有するパルス信号を出力する。
【００６９】
そして、時刻ｔ２１から時刻ｔ２４までの期間に生じたパルス信号である、（ｔ２３−ｔ２２）をパルス幅とするＨレベルのパルス信号が分周回路１５に入力されると、ノードＮ４の信号レベルがＬレベルになるとともに、Ｐチャネル型ＦＥＴ９Ａがオン状態となる。これにより、電源部８から照明部２、撮像部３及び無線伝送部４の各部への駆動電力の供給が開始され、時刻ｔ２２から時刻ｔ２６までの期間カプセル型内視鏡１の電源がオンされる。
【００７０】
また、時刻ｔ２５から時刻ｔ２８までの期間に生じたパルス信号である、（ｔ２７−ｔ２６）をパルス幅とするＨレベルのパルス信号が分周回路１５に入力されると、ノードＮ４の信号レベルがＨレベルになるとともに、Ｐチャネル型ＦＥＴ９Ａがオフ状態となる。これにより、電源部８から照明部２、撮像部３及び無線伝送部４の各部への駆動電力の供給が停止され、時刻ｔ２６から次にノードＮ４の信号レベルがＬレベルになる時刻までの期間カプセル型内視鏡１の電源がオフされる。
【００７１】
なお、本実施形態において、磁界検知用コイル１１及び共振用コンデンサ１６からなる共振回路のＱ値、及び、磁界発生部７から発せられる交流磁界の周波数の掃引速度は、分周回路１５の動作速度に応じたものとして各々設定される。
【００７２】
なお、本実施形態のカプセル型内視鏡１を用いた観察等についての説明は、第１の実施形態において述べた手順と同様の手順により実施可能であるため、本実施形態における説明は省略する。
【００７３】
以上に述べたように、本実施形態のカプセル型内視鏡１は、磁界検知用コイル１１及び共振用コンデンサ１６からなる共振回路の共振周波数ｆｒに個体差が生じた場合においても、磁界発生部７から発せられる交流磁界の周波数と該共振周波数ｆｒとを合わせこむための作業を行うことなく電源のオンオフを切り替えることができる。その結果、本実施形態のカプセル型内視鏡１は、第１の実施形態において述べた効果に加え、電源のオンオフの切り替えを容易かつ安定的に行うことができる、という効果をさらに発揮する。
【００７４】
なお、生体観察システム１０１が１つの磁界発生部７を有して構成される場合において、カプセル型内視鏡１は、磁界検知用コイル１１を１つだけ具備して構成されるものに限らず、磁界検知用コイル１１を複数具備して構成されるものであっても良い。
【００７５】
具体的には、カプセル型内視鏡１は、例えば、カプセル型内視鏡１の前後方向（長手軸方向）に相当するｘ方向、カプセル型内視鏡１の左右方向に相当するｙ方向、及び、カプセル型内視鏡１の上下方向に相当するｚ方向というような、相互に直交する有効軸を各々有して配置された３個の磁界検知用コイル１１を具備して構成されるものであっても良い。
【００７６】
そして、カプセル型内視鏡１は、前述したような３個の磁界検知用コイル１１を具備して構成されることにより、磁界発生部７から発せられた交流磁界の検知感度を向上させることができる。
【００７７】
なお、以上に述べた各実施形態は、カプセル型内視鏡に対して適用されるものに限らず、例えば、生体内の温度またはｐＨ等の生体情報を取得するための構成を有する、各種生体情報取得装置に対して適用されるものであっても良い。
【００７８】
また、以上に述べた各実施形態におけるカプセル型内視鏡は、被験者の体内に配置される前後の所望のタイミングにおいて、電源のオンオフの切り替えが可能であることは勿論である。
【００７９】
本発明は、上述した各実施形態に限定されるものではなく、発明の趣旨を逸脱しない範囲内において種々の変更や応用が可能であることは勿論である。
【図面の簡単な説明】
【００８０】
【図１】本発明の第１の実施形態における生体観察システムの要部の構成を示す図。
【図２】本発明の第１の実施形態における、電力供給部及び磁界検知部の具体的な構成の一例を示す図。
【図３】本発明の第１の実施形態における、電力供給部及び磁界検知部の動作と、カプセル型内視鏡の電源状態との相関を示す図。
【図４】本発明の第２の実施形態における、電力供給部及び磁界検知部の具体的な構成の一例を示す図。
【図５】本発明の第２の実施形態における、電力供給部及び磁界検知部の動作と、カプセル型内視鏡の電源状態との相関を示す図。
【図６】本発明の第３の実施形態における、電力供給部及び磁界検知部の動作と、カプセル型内視鏡の電源状態との相関を示す図。
【符号の説明】
【００８１】
１  カプセル型内視鏡
２  照明部
３  撮像部
４  無線伝送部
５，５Ａ  電力供給部
６  磁界検知部
７  磁界発生部
１０１  生体観察システム
【図１】
0005635224.tif 000002
【図２】
0005635224.tif 000003
【図３】
0005635224.tif 000004
【図４】
0005635224.tif 000005
【図５】
0005635224.tif 000006
【図６】
0005635224.tif 000007